(57)【要約】【課題】要介護者の背中を容易に洗うことができる浴槽付介護用ベッドを提供する。【解決手段】ベッド下部５とベッド上部６とを有するベッド２と、ベッド下部５を昇降させる昇降装置８と、ベッド下部５の下方に位置し、昇降装置８で下降させたベッド下部５を収容可能な浴槽３と、ベッド上部６に連結され上方へ延びるアーム９と、アーム９に揺動自在に支持されて下方に垂下する揺動部材１１と、揺動部材１１に設けられたテーブル１２と、ベッド上部６を起き上がらせる起立部と、を備え、ベッド下部５を昇降装置８によって下降させたときに、ベッド下部５の下降に対応して起立部によってベッド上部６が起き上がり、ベッド上部６に固定されたアーム９が昇降装置８の下降に対応して一方とは反対方向の他方側へ傾いた傾斜姿勢となることにより、起き上がった状態のベッド上部６の他方側の方向にテーブル１２が位置する。【選択図】図２
2019195480.tif 000002
【特許請求の範囲】
【請求項１】
要介護者の下半身側が横たわり可能なベッド下部と、前記要介護者の上半身側が横たわり可能で前記ベッド下部の一方の端に上方へ揺動自在に連結されたベッド上部とを有するベッドと、
前記ベッド下部を昇降させる昇降装置と、
前記ベッド下部の下方に位置し、前記昇降装置で下降させた前記ベッド下部を収容可能な浴槽と、
前記ベッド上部に連結され上方へ延びるアームと、
前記アームに揺動自在に支持されて下方に垂下する揺動部材と、
前記揺動部材に設けられたテーブルと、
前記ベッド上部を起き上がらせる起立部と、
を備え、
前記ベッド下部を前記昇降装置によって下降させたときに、前記ベッド下部の下降に対応して前記起立部によって前記ベッド上部が起き上がり、前記ベッド上部に固定された前記アームが前記昇降装置の下降に対応して前記一方とは反対方向の他方側へ傾いた傾斜姿勢となることにより、起き上がった状態の前記ベッド上部の前記他方側の方向に前記テーブルが位置することを特徴とする浴槽付介護用ベッド。
【請求項２】
請求項１に記載の浴槽付介護用ベッドであって、
前記起立部は、一方の端部側が前記アームの下部と連結され、他方の端部側が前記ベッド下部と連結されたワイヤを備え、
前記ベッド上部は、前記ベッド下部が前記昇降装置によって上昇させた上昇状態にあるときには、前記アームが前記ワイヤで引張られることにより起き上がりが阻止された状態であり、
前記ベッド下部が前記昇降装置によって下降させた下降状態にあるときには、前記ベッド下部が下降した分だけ前記ワイヤが緩み、前記起立部によって前記ベッド上部が起き上がることを特徴とする浴槽付介護用ベッド。
【請求項３】
請求項２に記載の浴槽付介護用ベッドであって、
前記起立部は、前記ベッド上部を自己の復元力により上方に揺動させる弾性部材を備え、
前記ベッド上部は、前記ベッド下部が前記昇降装置によって上昇させた上昇状態にあるときには、前記弾性部材の自己復元力に抗して前記アームが前記ワイヤで引張られることにより前記ベッド上部の起き上がりが阻止された状態であり、
前記ベッド下部が前記昇降装置によって下降させた下降状態にあるときには、前記ベッド下部の下降に対応して前記ワイヤが緩み、前記弾性部材の自己復元力によって前記ベッド上部が起き上がることを特徴とする浴槽付介護用ベッド。
【請求項４】
請求項１から請求項３の何れか１項に記載の浴槽付介護用ベッドであって、
前記テーブルは、前記揺動部材に対して前記一方又は前記他方の方向に移動可能に構成されていることを特徴とする浴槽付介護用ベッド。
【請求項５】
請求項１から請求項４の何れか１項に記載の浴槽付介護用ベッドであって、
前記アームの上端側には、前記ベッド下部側に向かって延びる延設部が設けられ、
前記ベッド下部が下降して前記アームが傾斜した状態では、前記延設部が前記浴槽の上縁に当接するように構成されていることを特徴とする浴槽付介護用ベッド。
【発明の詳細な説明】
【技術分野】
【０００１】
本発明は、浴槽付介護用ベッドに関する。
【背景技術】
【０００２】
従来、要介護者の下半身側が横たわり可能なベッド下部と、要介護者の上半身側が横たわり可能でベッド下部の上端に揺動自在に連結されたベッド上部とを有するベッドと、ベッド下部を昇降させる昇降装置と、ベッド下部の下方に位置し、昇降装置で下降させたベッド下部を収容可能な浴槽と、を備え、昇降装置でベッド下部を下降させて浴槽内に収容させるとベッド上部が浴槽の上縁に当接してベッド上部がベッド下部に対して起き上がる浴槽付介護用ベッドが知られている（例えば、特許文献１参照）。
【０００３】
特許文献１の浴槽付介護用ベッドによれば、要介護者をベッドに寝かせたままの状態で昇降装置によりベッド下部を下降させて浴槽内に収容することで、要介護者を入浴させることができる。
【先行技術文献】
【特許文献】
【０００４】
【特許文献１】特開平５−７６０７号公報
【発明の概要】
【発明が解決しようとする課題】
【０００５】
特許文献１のものでは、要介護者の背中を洗うときには介護者が要介護者の上半身を支えながら背中を洗う必要があり、要介護者の背中を洗うには介護者の大変な労力を必要とする。
【０００６】
本発明は、以上の点に鑑み、要介護者の背中を容易に洗うことができる浴槽付介護用ベッドを提供することを目的とする。
【課題を解決するための手段】
【０００７】
［１］上記目的を達成するため、本発明は、
要介護者の下半身側が横たわり可能なベッド下部（例えば、実施形態のベッド下部５。以下同一。）と、要介護者の上半身側が横たわり可能で前記ベッド下部の一方の端に上方へ揺動自在に連結されたベッド上部（例えば、実施形態のベッド上部６。以下同一。）とを有するベッド（例えば、実施形態のベッド２。以下同一。）と、
前記ベッド下部を昇降させる昇降装置（例えば、実施形態の昇降装置８。以下同一。）と、
前記ベッド下部の下方に位置し、前記昇降装置で下降させた前記ベッド下部を収容可能な浴槽（例えば、実施形態の浴槽３。以下同一。）と、
前記ベッド上部に連結され上方へ延びるアーム（例えば、実施形態のアーム９。以下同一。）と、
前記アームに揺動自在に支持されて下方に垂下する揺動部材（例えば、実施形態の揺動部材１１。以下同一。）と、
前記揺動部材に設けられたテーブル（例えば、実施形態のテーブル１２。以下同一。）と、
前記ベッド上部を起き上がらせる起立部（例えば、実施形態の浴槽３の一方側の側壁３ａ、板バネ１３、ワイヤ１４、延設部１０。以下同一。）と、
を備え、
前記ベッド下部を前記昇降装置によって下降させたときに、前記ベッド下部の下降に対応して前記起立部によって前記ベッド上部が起き上がり、前記ベッド上部に固定された前記アームが前記昇降装置の下降に対応して前記一方とは反対方向の他方側へ傾いた傾斜姿勢となることにより、起き上がった状態の前記ベッド上部の前記他方側の方向に前記テーブルが位置することを特徴とする。
【０００８】
本発明によれば、昇降装置によるベッド下部の下降に対応してベッド上部が起き上がり、起き上がったベッド上部の他方側の方向にテーブルが位置する。これにより、要介護者は、起き上がったベッド上部に背中を預けた状態からテーブルに寄り掛かった状態に姿勢を変えることができ、介護者が要介護者の上半身を支えることなく、介護者は要介護者の背中を従来よりも容易に洗うことができる。
【０００９】
［２］また、本発明においては、
前記起立部は、一方の端部側が前記アームの下部と連結され、他方の端部側が前記ベッド下部と連結されたワイヤ（例えば、実施形態の浴槽３のワイヤ１４。以下同一。）を備え、
前記ベッド上部は、前記ベッド下部が前記昇降装置によって上昇させた上昇状態にあるときには、前記アームが前記ワイヤで引張られることにより起き上がりが阻止された状態であり、
前記ベッド下部が前記昇降装置によって下降させた下降状態にあるときには、前記ベッド下部が下降した分だけ前記ワイヤが緩み、前記起立部によって前記ベッド上部が起き上がることが好ましい。
【００１０】
本発明によれば、昇降装置の昇降運動によって、ワイヤを介しアームを垂直姿勢と傾斜姿勢とに切り換えることができ、起立部にアーム専用の駆動源を組み込む必要がなく、昇降装置の動力だけでアームの状態を切り換えることができ、浴槽付介護用ベッドの構成の簡略化を図ることができる。
【００１１】
［３］また、本発明においてワイヤを用いて昇降装置の昇降運動を利用しアームの状態を切り換える場合には、
前記起立部は、前記ベッド上部を自己の復元力により上方に揺動させる弾性部材（例えば、実施形態の板バネ１３。以下同一。）を備え、
前記ベッド上部は、前記ベッド下部が前記昇降装置によって上昇させた上昇状態にあるときには、前記弾性部材の自己復元力に抗して前記アームが前記ワイヤで引張られることにより起き上がりが阻止された状態であり、
前記ベッド下部が前記昇降装置によって下降させた下降状態にあるときには、前記ベッド下部の下降に対応して前記ワイヤが緩み、前記弾性部材の自己復元力によって前記ベッド上部が起き上がるように構成されていることが好ましい。
【００１２】
起立部としては、浴槽の上縁（例えば、実施形態の浴槽３の一方側の側壁３ａ。以下同一。）で構成し、ベッド上部の裏面を起立部としての浴槽の上縁に当接させて、ベッド下部の下降に従い、浴槽の上縁で押し上げるようにして、ベッド上部を起き上がらせることが考えられる。しかしながら、アームが固定されたベッド上部を浴槽の上縁に押し当てるだけで起き上がらせようとすると、浴槽にかかる負荷が大きくなり過ぎる虞がある。
【００１３】
そこで、上述したように、起立部を、浴槽の上縁のみならず、又は浴槽の上縁に代えて、前記ベッド上部を自己の復元力により上方に揺動させる弾性部材で構成すれば、ベッド上部を起き上がらせるときの浴槽に掛かる負荷を低減させることができる。
【００１４】
［４］また、本発明においては、前記テーブルは、前記揺動部材に対して前記一方又は前記他方の方向に移動可能に構成されていることが好ましい。
【００１５】
かかる構成によれば、要介護者の前方（他方側）に位置するテーブルを要介護者から他方側へ後退させることができるため、要介護者の前方（他方側）のスペースを広くすることができるので、要介護者の胸部や腹部を洗うときに洗い易くすることができる。
【００１６】
［５］また、本発明においては、前記アームの上端側には、前記ベッド下部側に向かって延びる延設部（例えば、実施形態の延設部１０。以下同一。）が設けられ、前記ベッド下部が下降して前記アームが傾斜した状態では、前記延設部が前記浴槽の上縁（例えば、実施形態の浴槽３の他方側の側壁３ｃ。以下同一。）に当接するように構成されていることが好ましい。
【００１７】
本発明によれば、ベッド上部に固定されたアームは、他方側に傾斜した傾斜状態において延設部を介して浴槽の上縁で支えられるため、アームの傾斜姿勢状態を安定して保持することができる。
【図面の簡単な説明】
【００１８】
【図１】本発明の実施形態の浴槽付介護用ベッドを模式的に示す説明図。
【図２】本実施形態の浴槽付介護用ベッドのベッド下部を下降させて浴槽内に収容させた状態を模式的に示す説明図。
【発明を実施するための形態】
【００１９】
図を参照して、本発明の浴槽付介護用ベッドの実施形態を説明する。図１を参照して、本実施形態の浴槽付介護用ベッド１は、要介護者が横たわり可能なベッド２と、ベッド２の下方に位置する浴槽３と、浴槽３が載置された基台４と、を備えている。
【００２０】
ベッド２は、要介護者の下半身側が横たわり可能なベッド下部５と、要介護者の上半身側が横たわり可能でベッド下部５の一方の端に上方へ揺動自在に連結されたベッド上部６と、ベッド下部５の他方の端に上方へ揺動自在に連結された下端延長部７と、で構成されている。
【００２１】
浴槽３内には、ベッド下部５を昇降させてベッド下部５を浴槽３内に収容させた入浴状態と、ベッド下部５を浴槽３の外に出した状態とに切換自在な昇降装置８が設けられている。
【００２２】
ベッド上部６の一方の端部には、上方に向かって延びるようにベッド上部６の両側縁から延びるアーム９が固定されている。アーム９の上端側（図では、上端。後述する揺動部材１１が連結される箇所よりも上方であればよい。）には、アーム９の上端から他方側に向かって屈曲して延びる延設部１０が設けられている。両アーム９の内側には、夫々、上端部分が揺動自在に支持され下端が下方に垂下した揺動部材１１が設けられている。
【００２３】
両揺動部材１１の下端には、長方形板状のテーブル基板１２ａが水平に設けられている。また、テーブル基板１２ａの一方の側縁には、テーブル基板１２ａと同形状のテーブル本体１２ｂが上方へ回動自在に連結されている。本実施形態においては、テーブル基板１２ａとテーブル本体１２ｂとでテーブル１２が構成され、テーブル本体１２ｂは、上方へ回動させてテーブル基板１２ａの上面に重ね合わせることができる。
【００２４】
本実施形態においては、テーブル本体１２ｂの回動によるテーブル基板１２ａの上に重ね合わされた折重ね状態と、テーブル基板１２ａの一方の側縁から一方側に延びるように１枚の板状のテーブル１２を構成する拡張状態とに切換自在であり、折重ね状態が本実施形態におけるテーブル１２が後退した状態であり、拡張状態が本実施形態におけるテーブル１２が前進した状態である。テーブル１２を使用しないときには、テーブル本体１２ｂをテーブル基板１２ａに折り重ねておくことにより要介護者の前方（他方側）のスペースを広くすることができる。
【００２５】
なお、テーブル１２の進退方法としては、テーブル本体１２ｂがテーブル基板１２ａに回動自在に取り付けられている構成に限らず、他の構成、例えば、テーブル本体１２ｂが両揺動部材１１の下端に設けられた水平に延びるガイドレールに沿ってスライド可能に構成することにより進退させる構成であってもよい。
【００２６】
ベッド上部６は、浴槽３の一方側の側壁３ａよりも一方側に向かって延びている。また、ベッド上部６の裏面（下面）には、板バネ１３の一方の端部１３ａが連結されている。板バネ１３の他方の端部１３ｂは、浴槽３の一方側の側壁３ａの外面に連結されている。
【００２７】
両アーム９の下端には、ワイヤ１４の一方の端部１４ａが連結されている。ワイヤ１４は、図示省略した基台４に設けられた溝、及び浴槽３の底壁３ｂの貫通孔（図示省略）を通って、浴槽３の底壁３ｂの裏面（下面）及びベッド下部５の裏面（下面）に回転自在に取り付けられた滑車１５に巻き回されている。ワイヤ１４の他方の端部１４ｂは、浴槽３の底壁３ｂの表面（上面）に上方へ延びるように設けられた連結部材１６に連結されている。図１及び図２に点線で示すように、連結部材１６の位置を調節することにより、延設部１０の先端がしっかりと浴槽３の他方側の側壁３ｃの上縁に当接するように、ベッド下部５の下降量に対するワイヤ１４の緩み量を調節することができる。
【００２８】
図１に示すように、昇降装置８によって、ベッド下部５が上昇した上昇状態においては、ベッド上部６は水平姿勢状態であり、アーム９は垂直姿勢状態であって、ワイヤ１４は、板バネ１３の自己復元力に抗して、ベッド上部６及びアーム９の現状の状態を維持すべく、緩みなくピンと張られた緊張状態となっている。
【００２９】
図１の状態から、昇降装置８でベッド下部５を下降させると、ワイヤ１４がベッド下部５の下降に対応して緩み、ワイヤ１４が緩んだ分だけ、板バネ１３の自己復元力によってベッド上部６がベッド下部５との連結部分を軸に上方へ起き上がり、アーム９も同時に他方側へ傾斜していく。アーム９の上端には、他方側に延びる延設部１０及びテーブル１２が設けられているため、アーム９は、一旦、傾斜姿勢となると、板バネ１３の自己復元力に係らず、ワイヤ１４に緩みに対応して更に他方側へと傾斜していく。従って、板バネ１３に要求される自己復元力は比較的小さくて済む。なお、ベッド下部５を下降させるときには、下端延長部７は、ベッド下部５に対して上方に回動して折り畳む。これにより、ベッド下部５が浴槽３から外に出た上昇した状態のときには、下端延長部７を他方側に回動させてベッド２の実質的な長さを長くすることができ、比較的大柄な要介護者であっても就寝のための十分なスペースを確保することができる。
【００３０】
図２に示すように、ベッド下部５の下降が完了した下降状態に移行すると、アーム９の上端に設けられた延設部１０の先端が、浴槽３の他方側の側壁３ｃの上縁に当接する。これにより、アーム９の一方側はベッド上部６に固定され、アーム９の他方側は延設部１０を介して浴槽３の他方側の側壁３ｃの上縁で支えられるため、アーム９は傾斜姿勢を安定して維持することができる。
【００３１】
また、図２に示すように、アーム９が傾斜姿勢となると、揺動部材１１の上端は、アーム９に揺動自在に接続されているため、アーム９の傾斜姿勢とは異なり、揺動部材１１は垂直を維持したままとなる。このため、揺動部材１１の下端に設けられたテーブル１２は、起き上がって起立状態となったベッド上部６の他方側に位置する。
【００３２】
テーブル１２は、必要に応じてテーブル基板１２ａに折り重ねられたテーブル本体１２ｂを回動させてテーブル基板１２ａの一方側に配置して一枚の板となるように広げることができる。これにより、要介護者は広いテーブル１２の上でくつろぐことができる。また、揺動部材１１とアーム９との連結位置は上下方向にボルトなどで調節することができ、テーブル１２を使用するときに揺動部材１１を下方に下げるようにアーム９との連結位置を調整してもよい。また、揺動部材１１に伸縮機構（図示省略）を設けて電動機（図示省略）などでテーブルが適切な位置となるように揺動部材１１を伸縮できるように構成してもよい。
【００３３】
また、延設部１０にはテレビモニタ１７（受像機）が設けられている。これにより、要介護者は、入浴中のみならず、平らなベッド２の上で横たわっているときでも、上半身を起すことなく、テレビモニタ１７に移る映像を楽しむことができる。また、延設部１０がアーム９に設けられていることにより、延設部１０を含めたアーム９の重心がアーム９よりも他方側に移動することにより、延設部１０がアーム９を垂直姿勢から傾斜姿勢へと切り替わるための位置エネルギーを備えることとなる。従って、ワイヤ１４は、延設部１０によるアーム９が傾斜姿勢へ移行しようとする力にも対抗していることとなる。
【００３４】
また、ベッド上部６はベッド下部５が下降するときに浴槽３の一方側の側壁３ａの上縁に接触することにより、ベッド上部６の起き上がり動作が補助される。このとき、ベッド上部６の裏面（下面）と浴槽３の一方側の側壁３ａの上縁とが接触するときの摩擦力を低減すべく、浴槽３の一方側の側壁３ａの上縁には、ローラ１８が設けられている。
【００３５】
本実施形態においては、浴槽３の一方側の側壁３ａ、板バネ１３、ワイヤ１４、延設部１０によって、本発明の起立部が構成されている。
【００３６】
本実施形態の浴槽付介護用ベッド１によれば、昇降装置８によるベッド下部５の下降に対応してベッド上部６が起き上がり、起き上がったベッド上部６の他方側の方向にテーブル１２が位置する。これにより、要介護者は、起き上がったベッド上部６に背中を預けた状態からテーブル１２に寄り掛かった状態に姿勢を変えることができ、介護者が要介護者の上半身を支えることなく、介護者は要介護者の背中を従来よりも容易に洗うことができる。
【００３７】
また、本実施形態の浴槽付介護用ベッド１によれば、昇降装置８の昇降運動によって、ワイヤ１４を介しアーム９を垂直姿勢と傾斜姿勢とに切り換えることができ、起立部にアーム９専用の駆動源を組み込む必要がなく、昇降装置８の動力だけでアーム９の状態を切り換えることができ、浴槽付介護用ベッド１の構成の簡略化を図ることができる。
【００３８】
ここで、起立部を、浴槽３の一方側の側壁３ａの上縁のみで構成し、ベッド上部６の裏面を起立部としての一方側の側壁３ａの上縁に当接させて、ベッド下部５の下降に従い、一方側の側壁３ａの上縁で押し上げるようにして、ベッド上部６を起き上がらせることも考えられる。しかしながら、アーム９が固定されたベッド上部６を浴槽３の上縁に押し当てるだけで起き上がらせようとすると、浴槽３にかかる負荷が大きくなり過ぎる虞がある。
【００３９】
そこで、本実施形態の浴槽付介護用ベッド１では、起立部を、浴槽３の上縁のみならず、ベッド上部６を自己の復元力により上方に揺動させる弾性部材としての板バネ１３も併せて構成するので、ベッド上部６を起き上がらせるときの浴槽３に掛かる負荷を低減させることができる。
【００４０】
また、本実施形態の浴槽付介護用ベッド１によれば、要介護者の前方（他方側）に位置するテーブル本体１２ｂを回動させてテーブル基板１２ａに折り重ねることによりテーブル１２を要介護者から他方側へ後退させることができる。このため、要介護者の前方（他方側）のスペースを広くすることができるので、要介護者の胸部や腹部を洗うとき洗い易くすることができる。
【００４１】
また、本実施形態の浴槽付介護用ベッド１によれば、ベッド上部６に固定されたアーム９は、傾斜状態において延設部１０を介して浴槽３の他方側の側壁３ｃの上縁で支えられるため、アーム９の傾斜姿勢状態を安定して保持することができる。
【００４２】
なお、本実施形態では、起立部を、浴槽３の一方側の側壁３ａ、板バネ１３、ワイヤ１４、延設部１０によって構成したものを説明したが、本発明の起立部は、これに限らず、ベッド上部６を起き上がらせて起立状態とすることができるものであれば、他の構成であってもよい。例えば、起立部を、ベッド下部の下降に伴いベッド上部の裏面（下面）が接触する浴槽の上縁のみで構成しても、本発明の「要介護者は、起き上がったベッド上部に背中を預けた状態からテーブルに寄り掛かった状態に切り換えることができ、介護者が要介護者の上半身を支えることなく、介護者は要介護者の背中を従来よりも容易に洗うことができる」という作用効果を得ることができる。
【００４３】
また、本実施形態においては、弾性部材として、板バネ１３を用いたものを説明したが、本発明の弾性部材はこれに限らず、自己復元力によりベッド上部を上方に揺動させることができるものであれば他のもの、例えば、コイルスプリングや、弾性ゴムであってもよい。
【符号の説明】
【００４４】
１  浴槽付介護用ベッド
２  ベッド
３  浴槽
３ａ  一方側の側壁
３ｂ  底壁
３ｃ  他方側の側壁
４  基台
５  ベッド下部
６  ベッド上部
７  下端延長部
８  昇降装置
９  アーム
１０  延設部
１１  揺動部材
１２  テーブル
１２ａ  テーブル基板
１２ｂ  テーブル本体
１３  板バネ（弾性部材）
１３ａ  一方の端部
１３ｂ  他方の端部
１４  ワイヤ
１４ａ  一方の端部
１４ｂ  他方の端部
１５  滑車
１６  連結部材
１７  テレビモニタ（受像機）
１８  ローラ
【図１】
2019195480.tif 000003
【図２】
2019195480.tif 000004